(57)【要約】      （修正有）【課題】異常接近状態であると判断された複数の硬貨を常に搬送部から排除するような従来技術の場合と比較して硬貨の処理効率を向上させることができる硬貨処理装置および硬貨処理方法を提供する。【解決手段】硬貨処理装置１０は、硬貨を押動するピンが複数設けられた搬送部２５と、搬送部２５のピンに押動されていた硬貨が当該ピンから外れたときにこのことを検知するピン外れ検知手段と、ピン外れ検知手段により硬貨が搬送部２５のピンから外れたことが検知されたときでも、当該ピンに引き続く後続のピンにより硬貨が押動されていない場合には硬貨の搬送を続行させるよう搬送部２５の制御を行う制御部とを備えている。【選択図】図１
2018073434.tif 000002
【特許請求の範囲】
【請求項１】
硬貨の搬送を行う搬送部であって、硬貨を押動するピンが複数設けられた搬送部と、
前記搬送部の前記ピンに押動されていた硬貨が当該ピンから外れたときにこのことを検知するピン外れ検知手段と、
前記ピン外れ検知手段により硬貨が前記搬送部の前記ピンから外れたことが検知されたときでも、当該ピンに引き続く後続の前記ピンにより硬貨が押動されていない場合には硬貨の搬送を続行させるよう前記搬送部の制御を行う制御部と、
を備えた、硬貨処理装置。
【請求項２】
搬送部の複数のピンの各々により硬貨を押動することによって当該硬貨の搬送を行う工程と、
前記搬送部の前記ピンに押動される硬貨が当該ピンから外れたときにこのことを検知する工程と、
を備え、
硬貨が前記搬送部の前記ピンから外れたことが検知されたときでも、当該ピンに引き続く後続の前記ピンにより硬貨が押動されていない場合には前記搬送部による硬貨の搬送を続行させる、硬貨処理方法。
【発明の詳細な説明】
【技術分野】
【０００１】
本発明は、硬貨の入金処理や出金処理等の様々な処理を行う硬貨処理装置および硬貨処理方法に関する。
【背景技術】
【０００２】
ＡＴＭ（Ａｕｔｏ  Ｔｅｌｌｅｒｓ  Ｍａｃｈｉｎｅ）やＣＤ（Ｃａｓｈ  Ｄｉｓｐｅｎｓｅｒ）には、硬貨の入金処理や出金処理等の様々な処理を行う硬貨処理装置が設けられている。このような硬貨処理装置として、従来から様々なタイプのものが用いられている。
【０００３】
一般的な硬貨処理装置では、繰出部に投入された硬貨を１枚ずつ当該繰出部から搬送通路に繰り出し、この搬送通路において一層一列状態で搬送される硬貨を識別部により識別するようになっている。そして、識別部による識別結果に基づいて正常な硬貨ではないリジェクト硬貨は当該識別部より下流側の位置に設けられた排除部から排除する一方、正常な硬貨は排除部より下流側の位置に設けられた分類通路部へ搬送し、この分類通路部で硬貨を金種別に分類していた。
【０００４】
このような硬貨処理装置では、搬送通路で搬送される硬貨の間隔が所定の大きさ以下となるような接近した状態で分類通路部に硬貨が搬送されると、分類通路部で硬貨の誤分類や硬貨詰まり等のトラブルが発生しやすくなってしまう。このようなトラブルの発生を防止するために、搬送通路において所定の間隔をあけて搬送される硬貨のみを分類通路部に送る必要がある。
【０００５】
特許文献１には、搬送通路で搬送される硬貨の間隔が所定の大きさ以上あいているか否かを判定するために、搬送通路の識別部より上流側の位置に異常接近検出センサを設け、この異常接近検出センサを硬貨が通過するタイミング、あるいは異常接近検出センサに硬貨が到達するタイミングで、異常接近検出センサを既に通過した先行する硬貨と異常接近検出センサの位置にいる後続の硬貨との間隔をタイマーを用いて検出し、この検出された硬貨の間隔が所定の大きさ以上であるか否かを判定するという発明が開示されている。そして、特許文献１に開示される発明では、搬送通路で搬送される硬貨の間隔が所定の大きさ以下に接近するような異常接近状態が検出されたときには、排除部を作動させて異常接近状態であると判断された２枚の硬貨を搬送通路から排除していた。
【先行技術文献】
【特許文献】
【０００６】
【特許文献１】特開２００１−２２９４２８号公報
【発明の概要】
【発明が解決しようとする課題】
【０００７】
しかしながら、特許文献１に開示される発明では、異常接近検出センサにより異常接近状態であると判断された２枚の硬貨を常に搬送通路から排除しているため、硬貨を分岐させる分岐部の構成等によっては硬貨が異常接近状態であっても問題ない場合でも、当該硬貨を排除してしまうこととなり、硬貨の処理効率が悪化してしまうという問題があった。
【０００８】
本発明は、このような点を考慮してなされたものであり、異常接近状態であると判断された複数の硬貨を常に搬送部から排除するような従来技術の場合と比較して硬貨の処理効率を向上させることができる硬貨処理装置および硬貨処理方法を提供することを目的とする。
【課題を解決するための手段】
【０００９】
本発明の硬貨処理装置は、硬貨の搬送を行う搬送部であって、硬貨を押動するピンが複数設けられた搬送部と、前記搬送部の前記ピンに押動されていた硬貨が当該ピンから外れたときにこのことを検知するピン外れ検知手段と、前記ピン外れ検知手段により硬貨が前記搬送部の前記ピンから外れたことが検知されたときでも、当該ピンに引き続く後続の前記ピンにより硬貨が押動されていない場合には硬貨の搬送を続行させるよう前記搬送部の制御を行う制御部と、を備えたことを特徴とする。
【００１０】
このような硬貨処理装置によれば、硬貨が搬送部のピンから外れたことが検知されたときでも、当該ピンに引き続く後続のピンにより硬貨が押動されていない場合には硬貨の搬送を続行させることにより、異常接近状態であると判断された複数の硬貨を常に搬送部から排除するような従来技術の場合と比較して硬貨の処理効率を向上させることができる。
【００１１】
本発明の硬貨処理方法は、搬送部の複数のピンの各々により硬貨を押動することによって当該硬貨の搬送を行う工程と、前記搬送部の前記ピンに押動される硬貨が当該ピンから外れたときにこのことを検知する工程と、を備え、硬貨が前記搬送部の前記ピンから外れたことが検知されたときでも、当該ピンに引き続く後続の前記ピンにより硬貨が押動されていない場合には前記搬送部による硬貨の搬送を続行させることを特徴とする。
【００１２】
このような硬貨処理方法によれば、硬貨が搬送部のピンから外れたことが検知されたときでも、当該ピンに引き続く後続のピンにより硬貨が押動されていない場合には硬貨の搬送を続行させることにより、異常接近状態であると判断された複数の硬貨を常に搬送部から排除するような従来技術の場合と比較して硬貨の処理効率を向上させることができる。
【発明の効果】
【００１３】
本発明の硬貨処理装置および硬貨処理方法によれば、異常接近状態であると判断された複数の硬貨を常に搬送部から排除するような従来技術の場合と比較して硬貨の処理効率を向上させることができる。
【図面の簡単な説明】
【００１４】
【図１】本発明の実施の形態による硬貨処理装置の内部構成を示す側面図である。
【図２】図１に示す硬貨処理装置の内部構成を示す正面図である。
【図３】図１等に示す硬貨処理装置における搬送部、入金繰出部、収納繰出部、一時保留部等の構成の詳細を示す側面図である。
【図４Ａ】図１等に示す硬貨処理装置における収納繰出部の構成の詳細を示す側面図である。
【図４Ｂ】図４Ａに示す収納繰出部の縦断面図である。
【図４Ｃ】図４Ａに示す収納繰出部の硬貨出入口におけるＡ−Ａ矢視による断面図であって、規制ゲートが閉じているときの状態を示す図である。
【図４Ｄ】図４Ａに示す収納繰出部の硬貨出入口におけるＡ−Ａ矢視による断面図であって、規制ゲートが開いているときの状態を示す図である。
【図５】図１等に示す硬貨処理装置における入金繰出部の縦断面図である。
【図６】図１等に示す硬貨処理装置の制御系の構成を示す機能ブロック図である。
【図７】図１等に示す硬貨処理装置による硬貨の入金処理の動作を示す図である。
【図８】図１等に示す硬貨処理装置による硬貨の出金処理の動作を示す図である。
【図９】図１等に示す硬貨処理装置による硬貨の補充処理の動作を示す図である。
【図１０】図１等に示す硬貨処理装置による硬貨の回収処理の動作を示す図である。
【図１１】図１等に示す硬貨処理装置による硬貨の精査処理の動作を示す図である。
【図１２】（ａ）（ｂ）は、図１等に示す硬貨処理装置において入金繰出部に変形硬貨が収納されたときの状態を示す縦断面図である。
【発明を実施するための形態】
【００１５】
以下、図面を参照して本発明の実施の形態について説明する。図１乃至図１１は、本実施の形態による硬貨処理装置およびこの硬貨処理装置による硬貨処理方法を示す図である。このうち、図１は、本実施の形態による硬貨処理装置の内部構成を示す側面図であり、図２は、図１に示す硬貨処理装置の内部構成を示す正面図である。また、図３は、図１等に示す硬貨処理装置における搬送部、入金繰出部、収納繰出部、一時保留部等の構成の詳細を示す側面図である。また、図４Ａは、図１等に示す硬貨処理装置における収納繰出部の構成の詳細を示す側面図であり、図４Ｂは、図４Ａに示す収納繰出部の縦断面図である。また、図４Ｃおよび図４Ｄは、それぞれ、図４Ａに示す収納繰出部の硬貨出入口におけるＡ−Ａ矢視による断面図である。また、図５は、図１等に示す硬貨処理装置における入金繰出部の縦断面図である。また、図６は、図１等に示す硬貨処理装置の制御系の構成を示す機能ブロック図である。また、図７乃至図１１は、それぞれ、図１等に示す硬貨処理装置による硬貨の入金処理、出金処理、補充処理、回収処理、精査処理の動作を示す図である。
【００１６】
図１および図２に示すように、本実施の形態による硬貨処理装置１０は略直方体形状の筐体１２を有しており、この筐体１２内の上部には硬貨の入出金処理を行う入出金部１３が配設されている。また、筐体１２内の下部には、入出金部１３に硬貨を補充するとともに入出金部１３から硬貨を受け入れる補充回収部１４が配設されている。入出金部１３および補充回収部１４は、メンテナンス時や硬貨詰まり等のエラー発生時に鍵による解錠操作によって筐体１２から前方または後方に引き出し可能となっている。
【００１７】
筐体１２の前側上面には、入金する硬貨を受け入れるとともに内部から送り出される硬貨を払い出す入出金口２１が設けられている。また、筐体１２の前面には、入金する硬貨と一緒に混入した異物等を返却する異物返却口２２が設けられている。
【００１８】
入出金口２１の下側には、硬貨を受収する受皿２３が配設されており、この受皿２３の反転によって当該受皿２３に受収された硬貨を下方へ放出可能としている。
【００１９】
図２に示すように、入出金部１３内には、前面（図２の紙面の手前側）から見て上部が左側方向に所定角度で傾斜するベース２４が配設されている。また、このベース２４の上方に臨む表面側に、硬貨の搬送を行う搬送部２５が配設されている。図１に示すように、搬送部２５は、筐体１２の前後方向（図１における左右方向）に略水平に設けられる第１の搬送部分２６、この第１の搬送部分２６の上方で筐体１２の前後方向に略水平に設けられる第２の搬送部分２７、ならびにこれらの第１の搬送部分２６と第２の搬送部分２７との後部間を上下方向に接続する第３の搬送部分２８を有している。ここで、第２の搬送部分２７から第３の搬送部分２８および第１の搬送部分２６へ向けて硬貨を搬送する方向を入金搬送方向Ｆ１と呼び、逆に、第１の搬送部分２６から第３の搬送部分２８および第２の搬送部分２７へ向けて硬貨を搬送する方向を出金搬送方向Ｆ２と呼ぶ。
【００２０】
図１に示すように、搬送部２５の第１の搬送部分２６の前側に入金繰出部３１が接続配置され、この第１の搬送部分２６における入金繰出部３１より後側および第２の搬送部分２７に金種別の複数の収納繰出部３２が接続配置されている。また、第２の搬送部分２７における各収納繰出部３２より前側に一時保留部３８が接続配置され、第２の搬送部分２７の前端が入出金口２１に接続されている。
【００２１】
入金繰出部３１は、搬送部２５の第１の搬送部分２６において入金搬送方向Ｆ１に搬送される硬貨を受け入れ可能とするとともに第１の搬送部分２６に対して硬貨を出金搬送方向Ｆ２に繰り出し可能となっている。各収納繰出部３２は、搬送部２５の第１の搬送部分２６や第２の搬送部分２７において入金搬送方向Ｆ１に搬送される硬貨を分岐して受け入れ可能とするとともに第１の搬送部分２６や第２の搬送部分２７に対して硬貨を出金搬送方向Ｆ２に繰り出し可能となっている。また、一時保留部３８は、搬送部２５の第２の搬送部分２７において出金搬送方向Ｆ２に搬送される硬貨を分岐して受け入れ可能とするとともに第２の搬送部分２７に対して硬貨を入金搬送方向Ｆ１に繰り出し可能となっている。
【００２２】
また、入金繰出部３１は、入出金口２１および受皿２３の下方に位置し、受皿２３から放出される硬貨をシュート３０を介して受収可能となっている。
【００２３】
搬送部２５における第２の搬送部分２７には、一時保留部３８と収納繰出部３２との間において、搬送される硬貨の少なくとも金種、真偽、正損等を適宜選択して識別する識別部３３が配設されている。
【００２４】
図４Ａに示すように、搬送部２５は、ベース２４の表面に形成されていて硬貨の面が接する通路面４１、およびこの通路面４１の両側で硬貨の周縁をガイドする両側のガイド部４２を有している。また、図３等に示すように、搬送部２５は、硬貨を一層一列状態で搬送する無端状の搬送体としてのベルト４３を有しており、このベルト４３は複数のプーリ４４によって掛け回されている。
【００２５】
また、図４Ａに示すように、通路面４１に対向するベルト４３の面からは複数のピン４５が当該ベルト４３の長手方向に沿って所定のピッチで突設されている。そして、隣り合う２つのピン４５の間に硬貨を受け入れ、ベルト４３の回転によりピン４５で硬貨を押動させながら当該硬貨を搬送するようになっている。
【００２６】
搬送部２５において、複数のプーリ４４のうちある一つのプーリ４４に接続された図示しないモータの駆動により、ベルト４３は入金搬送方向Ｆ１および出金搬送方向Ｆ２の双方向に正逆転し、硬貨を正逆双方向へ搬送可能としている。
【００２７】
また、図３に示すように、搬送部２５にはベルト４３の長手方向に沿って複数の光学式の通過センサ２９ａが設けられており、ベルト４３により搬送される硬貨が各通過センサ２９ａを通過したときにこのことが通過センサ２９ａによって検知されるようになっている。通過センサ２９ａは概ね後述する振分部材４７や後述するオーバーフロー硬貨分岐部１２１、取り忘れ硬貨分岐部１２２、リジェクト硬貨分岐部１２３および回収硬貨分岐部１２４にそれぞれ対応して配設されている。また、図３に示すように、搬送部２５の第２の搬送部分２７における入出金口２１側の端部にも光学式の通過センサ２９ｂが設けられており、ベルト４３によって搬送される硬貨が搬送部２５の第２の搬送部分２７から入出金口２１の受皿２３に放出される際にこの硬貨が通過センサ２９ｂを通過したときにはこのことが通過センサ２９ｂにより検知されるようになっている。また、通過センサ２９ａ、２９ｂは、ベルト４３により搬送される硬貨のみならず、当該ベルト４３に突設された各ピン４５の通過も検出するようになっている。
【００２８】
また、図１および図３に示すように、搬送部２５には、各収納繰出部３２および一時保留部３８の接続部分に、これらの各収納繰出部３２および一時保留部３８と搬送部２５との間で硬貨を出し入れするかベルト４３で搬送する硬貨を搬送方向下流側へ通過させるかに応じて選択的に硬貨を振り分ける振分部材４７が配設されている。図４Ａに示すように、振分部材４７には、収納繰出部３２や一時保留部３８の硬貨出入口に対して硬貨を案内する案内部４８、および収納繰出部３２や一時保留部３８の硬貨出入口を閉塞して硬貨を搬送部２５における搬送方向下流側に案内する閉塞部５０が設けられている。ここで、案内部４８の端縁部には湾曲した曲面が形成されており、この湾曲した曲面に沿って硬貨が案内されるようになっている。このような振分部材４７は、ソレノイド等の駆動で搬送部２５の通路面４１に対して進退移動するようになっている。ここで、硬貨を搬送部２５から収納繰出部３２や一時保留部３８へ振り分けるとき、および硬貨を収納繰出部３２や一時保留部３８から搬送部２５に繰り出すときには、案内部４８が搬送部２５の通路面４１内に突出するとともに閉塞部５０が収納繰出部３２や一時保留部３８の硬貨出入口を開放する。一方、硬貨を搬送部２５から収納繰出部３２や一時保留部３８に振り分けないとき、および硬貨を収納繰出部３２や一時保留部３８から搬送部２５に繰り出さないときには、案内部４８が搬送部２５の通路面４１外に退避するとともに閉塞部５０が収納繰出部３２や一時保留部３８の硬貨出入口を閉塞する。
【００２９】
また、図４Ａおよび図４Ｂに示すように、各収納繰出部３２は、水平方向に対して所定角度で傾斜する位置で回転軸５９を中心に回転可能な回転円盤６０、この回転円盤６０の表面側との間で硬貨を貯留するホッパ６１、および収納繰出部３２の硬貨出入口の近傍に配置される受渡し円盤６２等を有している。
【００３０】
図４Ｂに示すように、回転円盤６０は、筐体１２側に回転可能に取り付けられた回転軸５９により、筐体１２の前面から見て、水平方向に対して右方向に傾斜しており、回転円盤６０の左側が高く、右側が低く、回転円盤６０の表面が筐体１２の右斜め上方に対向するよう配置されている。回転円盤６０は、硬貨を搬送部２５へ繰り出す繰出回転方向（図４Ａにおける反時計回りの方向）にモータで回転駆動するようになっている。なお、回転円盤６０は、繰出回転方向と反対の反繰出回転方向（図４Ａにおける時計回りの方向）にも回転駆動可能となっている。
【００３１】
回転円盤６０の表面には、中央域に円形の高位部６４が形成され、この高位部６４の外周域に環状の低位部６５が形成されている。回転円盤６０の高位部６４と低位部６５との間には、処理する硬貨のうちの最小硬貨厚みより少し小さい寸法で、硬貨の周縁が厚み方向に１枚載る段差部６６が形成されている。
【００３２】
低位部６５には、回転円盤６０の表面から突出する複数の拾上部材６７、６７ａが、内周側の円周方向と外周側の円周方向との２列の円周方向に沿って所定ピッチで配置されている。そして、回転円盤６０の繰出回転方向への回転時に、内周側の各拾上部材６７、６７ａが段差部６６との間で硬貨を１枚ずつ保持して回転円盤６０の上部域に拾い上げ、外周側の各拾上部材６７、６７ａが内周側の各拾上部材６７、６７ａで回転円盤６０の上部域に拾い上げた硬貨を収納繰出部３２の硬貨出入口へ向けて押し出すとともに受渡し円盤６２に受け渡すように構成されている。図４Ａにおいて、回転円盤６０の下部域から上部域に搬送される硬貨を参照符号Ｃで示す。
【００３３】
なお、回転円盤６０に突設された複数（合計８組）の拾上部材６７、６７ａのうち、７組の拾上部材６７は回転円盤６０の繰出回転方向における上流側端部（回転円盤６０の上部域に硬貨を拾い上げる際に当該硬貨を押動する端部とは反対側の端部）がテーパ形状となっており、当該上流側端部は回転円盤６０の表面から傾斜している。一方、回転円盤６０に突設された複数の拾上部材６７、６７ａのうち、１組の拾上部材６７ａは回転円盤６０の繰出回転方向における上流側端部（回転円盤６０の上部域に硬貨を拾い上げる際に当該硬貨を押動する端部とは反対側の端部）および下流側端部（回転円盤６０の上部域に硬貨を拾い上げる際に当該硬貨を押動する端部）がそれぞれテーパ形状となっており、これらの上流側端部および下流側端部は回転円盤６０の表面から傾斜している。
【００３４】
段差部６６は、各拾上部材６７、６７ａとの間で硬貨を１枚ずつ保持可能とする各位置に設けられている。したがって、円周方向に複数の段差部６６が設けられている。これらの段差部６６の間には、高位部６４と低位部６５との段差を傾斜面として、拾上部材６７、６７ａと段差部６６とで保持されない硬貨を下方へ滑落させる滑落部６８が形成されている。
【００３５】
回転円盤６０の上部域には、拾上部材６７、６７ａで回転円盤６０の上部域に拾い上げた硬貨を収納繰出部３２の硬貨出入口へ向けて繰り出す案内通路６９が形成されている。この案内通路６９は、回転円盤６０の表面と同一であって搬送部２５に連続した通路面４１と、上下のガイド部材７０、７１との間に形成されている。
【００３６】
上側のガイド部材７０は、回転円盤６０の上部域から収納繰出部３２の硬貨出入口の一方の側部側にかけて、回転円盤６０および通路面４１の表面より突出して設けられている。
【００３７】
下側のガイド部材７１は、低位部６５の表面に硬貨が入り込まない間隙をあけて対向した状態で、段差部６６側から収納繰出部３２の硬貨出入口の他方の縁部側にわたって設けられている。このガイド部材７１の案内通路６９内に臨む内縁は、振分部材４７の案内部４８に連続する曲面に形成されている。また、ガイド部材７１の低位部６５に対向する面には、回転移動する各拾上部材６７、６７ａが通過する溝部７２が設けられている。そして、ガイド部材７１により、拾上部材６７、６７ａで拾い上げた硬貨を段差部６６から受け取って収納繰出部３２の硬貨出入口へ案内するように構成されている。
【００３８】
また、案内通路６９には、収納繰出部３２から複数の硬貨が互いに重なった状態で搬送部２５に繰り出されることを防止するための規制ゲート５５が設けられている。このような規制ゲート５５の構成の詳細について図４Ｃおよび図４Ｄを用いて説明する。なお、図４Ｃおよび図４Ｄは、図４Ａに示す収納繰出部３２の硬貨出入口におけるＡ−Ａ矢視による断面図である。より詳細には、図４Ｃは、規制ゲート５５が収納繰出部３２の硬貨出入口を閉じているときの状態を示す図であり、図４Ｄは、規制ゲート５５が収納繰出部３２の硬貨出入口を開いているときの状態を示す図である。
【００３９】
図４Ｃに示すように、規制ゲート５５が収納繰出部３２の硬貨出入口を閉じているときには、案内通路６９と規制ゲート５５との間には、硬貨１枚分の厚さよりもわずかに大きい間隙が形成されるようになり、回転円盤６０の上部域から繰り出された硬貨はこの案内通路６９と規制ゲート５５との間の隙間を通って搬送部２５に送られるようになる。この際に、図４Ｃに示すように「くの字状」に折れ曲がった変形硬貨Ｃ１は、規制ゲート５５と衝突することにより案内通路６９と規制ゲート５５との間の隙間を通ることができず、搬送部２５には送られないようになる。一方、図４Ｄに示すように、規制ゲート５５が収納繰出部３２の硬貨出入口を開くと案内通路６９と規制ゲート５５との間には大きな隙間が形成されるようになり、「くの字状」に折れ曲がった変形硬貨Ｃ１でも案内通路６９と規制ゲート５５との間の隙間を通って搬送部２５に送られるようになる。
【００４０】
また、図４Ｂに示すように、ホッパ６１は、回転円盤６０の表面側に対向して覆うとともに上方から硬貨を受け入れ可能に上方に向けて開口された形状に形成されている。
【００４１】
また、受渡し円盤６２は、案内通路６９と搬送部２５とにまたがった位置に、受渡し円盤６２の表面が通路面４１と面一となるように回転可能に配置されている。受渡し円盤６２の外周縁部には、硬貨に当接して回転円盤６０側から搬送部２５側へ当該硬貨を押動することによりこの硬貨を搬送部２５に繰り出す突起８０が突設されている。
【００４２】
受渡し円盤６２は、搬送部２５のベルト４３と連動して回転し、ベルト４３が入金搬送方向Ｆ１に移動するときには、突起８０が搬送部２５から収納繰出部３２の硬貨出入口へ移動する反繰出回転方向（すなわち、突起８０で硬貨を搬送部２５から回転円盤６０側へ繰り入れる方向）に回転し、また、ベルト４３が出金搬送方向Ｆ２に移動するときには、突起８０が収納繰出部３２の硬貨出入口から搬送部２５へ移動する繰出回転方向（すなわち、突起８０で硬貨を回転円盤６０側から搬送部２５へ繰り出す方向）に回転する。また、この際に、突起８０により回転円盤６０側から搬送部２５へ繰り出された硬貨がベルト４３における隣り合う２つのピン４５の間に受け入れられるように、ベルト４３の駆動に対する受渡し円盤６２の回転位相が設定されている。
【００４３】
本実施の形態では、搬送部２５のベルト４３や受渡し円盤６２と、回転円盤６０とは異なるモータにより駆動されるようになっている。ここで、後述する制御部２０１は、搬送部２５のベルト４３や受渡し円盤６２の位相に対して回転円盤６０の位相を合わせるようこれらのモータの位相を調整するようになっている。すなわち、拾上部材６７、６７ａで回転円盤６０の上部域に拾い上げた硬貨が案内通路６９において受渡し円盤６２の突起８０により引き続き押動されるよう、搬送部２５のベルト４３や受渡し円盤６２の位相に対して回転円盤６０の位相が制御部２０１により調整されるようになっている。
【００４４】
なお、各収納繰出部３２の回転円盤６０、ホッパ６１および受渡し円盤６２等の構成について説明したが、入金繰出部３１や一時保留部３８においても、回転円盤６０、ホッパ６１および受渡し円盤６２等を有しており、基本的に各収納繰出部３２と同一の構成となっている。ただし、入金繰出部３１では、図５に示すように、ホッパ６１の下部に排出口７６が形成されており、この排出口７６に排出ゲート７７が上部側の軸７８を支点として開閉可能に取り付けられている。排出ゲート７７は、軸７８を介してモータやソレノイド等のゲート駆動部により開閉駆動されるようになっている。
【００４５】
搬送部２５における第１の搬送部分２６には、入金繰出部３１と最前部の収納繰出部３２との間において、入金搬送方向Ｆ１に搬送される硬貨を後述するオーバーフロースタッカ９０内に分岐するためのオーバーフロー硬貨分岐部１２１が設けられており、また、最前部の収納繰出部３２と最前部から２番目の収納繰出部３２との間において、入金搬送方向Ｆ１に搬送される硬貨をオーバーフロースタッカ９０側に分岐するための取り忘れ硬貨分岐部１２２が設けられている。また、搬送部２５における第１の搬送部分２６には、前から２番目の収納繰出部３２と３番目の収納繰出部３２との間において、入金搬送方向Ｆ１に搬送される硬貨を後述する硬貨カセット９２側に分岐するためのリジェクト硬貨分岐部１２３が設けられており、また、前から３番目の収納繰出部３２と４番目の収納繰出部３２との間において、入金搬送方向Ｆ１に搬送される硬貨を硬貨カセット９２内に分岐するための回収硬貨分岐部１２４が設けられている。
【００４６】
オーバーフロー硬貨分岐部１２１、取り忘れ硬貨分岐部１２２、リジェクト硬貨分岐部１２３および回収硬貨分岐部１２４は、それぞれ、搬送部２５の通路面４１から上方に突出可能な振分ゲートを有している。各振分ゲートは、ソレノイド等の駆動手段により、入金搬送方向Ｆ１の下流側の水平な軸を中心として入金搬送方向Ｆ１の上流側が上下に移動し、このことにより搬送部２５の通路面４１から上方に突出することができるようになっている。ここで、各振分ゲートは、通常時は搬送部２５の通路面４１の下方に退避し、この振分ゲート上を硬貨が通過するようになっているが、ベルト４３により搬送される硬貨のうち、各分岐部１２１、１２２、１２３、１２４により分岐される硬貨が搬送されてくる所定のタイミングで、振分ゲートの入金搬送方向Ｆ１の上流側が搬送部２５の通路面４１から上方に突出し、この振分ゲートにより該当金種の硬貨が当該振分ゲートに対応して設けられた開口から落下することにより搬送部２５から分岐される。このように、各分岐部１２１、１２２、１２３、１２４は、開口を介して硬貨を落下させることにより搬送部２５から当該硬貨を分岐させる落下式のものとなっている。
【００４７】
図１および図２に示すように、補充回収部１４は、筐体１２内の前側下部位置に固定配置されたオーバーフロースタッカ９０、および筐体１２内の後面から後側下部位置に着脱可能に配置される硬貨カセット９２を有している。また、オーバーフロースタッカ９０と硬貨カセット９２との間には、これらのオーバーフロースタッカ９０および硬貨カセット９２から繰り出される硬貨を上方の入出金部１３に搬送する補充搬送部９３が設けられている。
【００４８】
オーバーフロースタッカ９０の内部には、硬貨を非整列状態で収納する収納空間９５、およびこの収納空間９５の底部を構成して硬貨を後面の繰出口９６から補充搬送部９３に繰り出すベルト９７が配設されている。ここで、搬送部２５の第１の搬送部分２６からオーバーフロー硬貨分岐部１２１で分岐された硬貨がオーバーフロースタッカ９０の収納空間９５に送られるようになっている。
【００４９】
また、オーバーフロースタッカ９０には、取り忘れ硬貨を収納するための取り忘れボックス１２７、および任意に設定される所定の硬貨の収納に利用可能な予備ボックス１２８がそれぞれ設けられている。ここで、搬送部２５の第１の搬送部分２６から取り忘れ硬貨分岐部１２２で分岐された硬貨が、取り忘れ硬貨通路１２９およびこの取り忘れ硬貨通路１２９に設けられた図示しない切換機構により、取り忘れボックス１２７および予備ボックス１２８のいずれか一方に導かれて収納される。これらの取り忘れボックス１２７および予備ボックス１２８は、筐体１２から個別に着脱可能な分離型として構成されている。本実施の形態では、オーバーフロースタッカ９０、取り忘れボックス１２７および予備ボックス１２８によりオーバーフロー硬貨収納部が構成されている。
【００５０】
硬貨カセット９２は、硬貨を非整列状態で収納する収納空間９８、およびこの収納空間９８の底部を構成して硬貨を後面の繰出口９９から補充搬送部９３に繰り出すベルト１００が配設されている。ここで、搬送部２５の第１の搬送部分２６から回収硬貨分岐部１２４で分岐された硬貨が硬貨カセット９２の収納空間９８に送られるようになっている。
【００５１】
また、硬貨カセット９２には、硬貨の入金処理時や出金処理時に識別部３３で正常硬貨と識別されなかったリジェクト硬貨を収納するリジェクトボックスとしての運用リジェクトボックス１０４、および硬貨の補充処理時に識別部３３で正常硬貨と識別されなかったリジェクト硬貨を収納するリジェクトボックスとしての補充リジェクトボックス１０５がそれぞれ設けられている。ここで、搬送部２５の第１の搬送部分２６からリジェクト硬貨分岐部１２３で分岐された硬貨が、図示しない通路およびこの通路に設けられた切換機構により、運用リジェクトボックス１０４および補充リジェクトボックス１０５のいずれか一方に導かれて収納される。これらの運用リジェクトボックス１０４および補充リジェクトボックス１０５は、筐体１２から個別に着脱可能な分離型として構成されている。本実施の形態では、硬貨カセット９２、運用リジェクトボックス１０４および補充リジェクトボックス１０５により硬貨回収部が構成されている。
【００５２】
図２に示すように、補充搬送部９３は、オーバーフロースタッカ９０および硬貨カセット９２から繰り出される硬貨を受け入れる横搬送部分１０８、およびこの横搬送部分１０８から硬貨を上方に搬送する縦搬送部分１０９が設けられた搬送コンベア１１０を有している。縦搬送部分１０９は、入出金部１３の側部であって、搬送部２５や入金繰出部３１、収納繰出部３２、一時保留部３８等に対向する側面に配置されている。また、縦搬送部分１０９は、図２に実線で示すように筐体１２内に配置されて硬貨を搬送する位置と、図２に二点鎖線で示すように筐体１２の外側に移動して入出金部１３との間を解放可能とする位置との間で揺動可能となっている。また、搬送コンベア１１０の縦搬送部分１０９で上方に搬送された硬貨は一時保留部３８に送られるようになっている。
【００５３】
また、本実施の形態による硬貨処理装置１０には、当該硬貨処理装置１０の各構成要素の制御を行う制御部２０１（図１乃至図５では図示せず）が設けられている。図６に示すように、制御部２０１には識別部３３、通過センサ２９ａ、２９ｂ、搬送部２５、入金繰出部３１、収納繰出部３２、一時保留部３８、オーバーフロースタッカ９０、硬貨カセット９２、補充搬送部９３等がそれぞれ通信可能に接続されている。ここで、識別部３３による硬貨の識別結果に係る情報や通過センサ２９ａ、２９ｂによる硬貨の検知結果に係る情報は制御部２０１に送信されるようになっている。また、制御部２０１は、搬送部２５、入金繰出部３１、収納繰出部３２、一時保留部３８、オーバーフロースタッカ９０、硬貨カセット９２、補充搬送部９３等の各構成要素に指令信号を送ることによりこれらの構成要素の制御を行うようになっている。
【００５４】
また、図６に示すように、制御部２０１には記憶部２０３、操作表示部２０４、異常接近検知手段２０５およびピン外れ検知手段２０６がそれぞれ通信可能に接続されている。記憶部２０３には硬貨処理装置１０における硬貨の処理状況に係る情報や各収納繰出部３２の在高等の情報が記憶されるようになっている。また、操作表示部２０４は筐体１２の前面や上面に配設された例えばタッチパネル式のモニタ等からなり、当該操作表示部２０４には硬貨処理装置１０における硬貨の処理状況に係る情報や各収納繰出部３２の在高等の情報等が表示されるようになっている。また、操作者は操作表示部２０４の操作によって制御部２０１に様々な指令を入力することができるようになっている。また、異常接近検知手段２０５は、通過センサ２９ａ、２９ｂによる硬貨の検知情報に基づいて、搬送部２５により搬送される硬貨の間隔が所定の間隔よりも小さくなったときに硬貨が異常接近状態であることを検知するようになっている。また、ピン外れ検知手段２０６は、通過センサ２９ａ、２９ｂによる硬貨の検知情報に基づいて、搬送部２５のベルト４３に設けられたピン４５に押動されていた硬貨が当該ピン４５から外れたときにこのことを検知するようになっている。異常接近検知手段２０５やピン外れ検知手段２０６の構成の詳細については後述する。
【００５５】
次に、このような構成からなる本実施の形態の硬貨処理装置１０の動作について説明する。なお、以下に示すような硬貨処理装置１０の動作は、制御部２０１が当該硬貨処理装置１０の各構成要素を制御することにより行われるようになっている。
【００５６】
まず、本実施の形態の硬貨処理装置１０による硬貨の入金処理について図７を用いて説明する。
【００５７】
図７（ａ）には、硬貨の入金処理における入金硬貨の計数一時保留動作が示されている。図７（ａ）に示すように、筐体１２の入出金口２１から受皿２３に投入された硬貨は、この受皿２３の反転によって下方に放出され、入金繰出部３１に受け入れられる。受皿２３は、反転後に硬貨を受収する姿勢に復帰する。
【００５８】
入金繰出部３１に受け入れられた硬貨は当該入金繰出部３１から１枚ずつ搬送部２５の第１の搬送部分２６に繰り出され、この搬送部２５の第１の搬送部分２６に繰り出された硬貨は１枚ずつベルト４３により出金搬送方向Ｆ２に搬送される。この際に、搬送部２５により搬送される硬貨は識別部３３により識別される。
【００５９】
識別部３３での識別の結果、正常硬貨と識別された硬貨は、一時保留部３８の振分部材４７で搬送部２５の第２の搬送部分２７から一時保留部３８に振り分けられ、当該一時保留部３８内に収納される。また、識別部３３での識別の結果、正常硬貨と識別されなかった硬貨は、一時保留部３８の位置を通過して搬送部２５の第２の搬送部分２７から受皿２３に放出され、このことにより操作者に返却される。
【００６０】
図７（ｂ）には、硬貨の入金処理における異物返却動作が示されている。
【００６１】
入金繰出部３１内の硬貨や異物等の残留物を検知する図示しない残留検知センサの検知に基づき、入金繰出部３１から繰り出されずに残留する異物が存在すると判断された場合に、あるいは入金繰出部３１から全ての硬貨の繰り出しが完了した後に、入金繰出部３１のホッパ６１の排出ゲート７７を開き、入金繰出部３１から繰り出されずに当該入金繰出部３１内に残留するクリップおよび紙片や変形硬貨等の異物を下方の異物シュート８３に放出し、異物返却口２２に返却する。
【００６２】
図７（ｃ）には、硬貨の入金処理において一時保留部３８に一時保留された硬貨の収納動作が示されている。
【００６３】
筐体１２の入出金口２１から受皿２３に投入された全ての硬貨の計数一時保留動作が終了した後、操作表示部２０４の操作で硬貨収納指令が出されると、一時保留部３８内の硬貨は１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。この際に、搬送部２５により搬送される硬貨は識別部３３により識別される。
【００６４】
識別部３３での識別の結果、正常硬貨と識別された硬貨は、該当金種の硬貨を収納する収納繰出部３２の振分部材４７で搬送部２５から収納繰出部３２に振り分けられ、当該収納繰出部３２に収納される。
【００６５】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて当該オーバーフロースタッカ９０に収納される。
【００６６】
また、識別部３３での識別の結果、正常硬貨と識別されなかった硬貨は、オーバーフロー硬貨分岐部１２１で搬送部２５から分岐され、オーバーフロースタッカ９０に送り込まれて当該オーバーフロースタッカ９０に収納されるか、またはリジェクト硬貨分岐部１２３で搬送部２５から分岐され、硬貨カセット９２の運用リジェクトボックス１０４に送り込まれて当該運用リジェクトボックス１０４に収納される。
【００６７】
図７（ｄ）（ｅ）には、硬貨の入金処理において一時保留部３８に一時保留された硬貨の返却動作が示されている。
【００６８】
図７（ｄ）に示すように、筐体１２の入出金口２１から受皿２３に投入された全ての硬貨の計数一時保留動作が終了した後、操作表示部２０４の操作で硬貨返却指令が出されると、一時保留部３８内の硬貨は１枚ずつ搬送部２５の第２の搬送部分２７に繰り出され、この搬送部２５の第２の搬送部分２７に繰り出された硬貨は１枚ずつベルト４３により入金搬送方向Ｆ１に搬送され、入金繰出部３１に収納される。
【００６９】
続いて、図７（ｅ）に示すように、入金繰出部３１から硬貨が１枚ずつ搬送部２５の第１の搬送部分２６に繰り出され、この搬送部２５の第１の搬送部分２６に繰り出された硬貨は１枚ずつベルト４３により出金搬送方向Ｆ２に搬送され、入出金口２１の受皿２３に放出されて操作者に返却される。
【００７０】
次に、本実施の形態の硬貨処理装置１０による硬貨の出金処理について図８を用いて説明する。
【００７１】
図８（ａ）には、硬貨の出金処理における出金硬貨の計数出金動作が示されている。図８（ａ）に示すように、操作表示部２０４の操作により出金すべき硬貨の金種と枚数、または出金すべき硬貨の金額を含んだ硬貨出金指令を制御部２０１が受けると、該当する収納繰出部３２内の硬貨が１枚ずつ搬送部２５に繰り出され、この搬送部２５に繰り出された硬貨は１枚ずつベルト４３により出金搬送方向Ｆ２に搬送され、搬送部２５により搬送される硬貨は識別部３３により識別される。
【００７２】
識別部３３での識別の結果、正常硬貨と識別された硬貨は、搬送部２５の第２の搬送部分２７から入出金口２１の受皿２３に放出される。一方、識別部３３での識別の結果、正常硬貨と識別されなかった硬貨は、一時保留部３８の振分部材４７で搬送部２５の第２の搬送部分２７から一時保留部３８に振り分けられて当該一時保留部３８に収納される。正常硬貨と識別されなかった硬貨については、収納繰出部３２からの投出タイミングと、ベルト４３の搬送によって識別部３３に到達するタイミングとによって金種が分かるため、該当する金種の収納繰出部３２から硬貨１枚分を追加投出する。
【００７３】
このようにして、出金分の硬貨を入出金口２１の受皿２３に出金する。
【００７４】
図８（ｂ）には、硬貨の出金処理において正常硬貨と識別されなかった硬貨の戻し動作が示されている。
【００７５】
正常硬貨と識別されなかった硬貨を収納した一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。また、搬送部２５により搬送される硬貨は識別部３３により再識別される。
【００７６】
識別部３３での再識別の結果、正常硬貨と識別された硬貨は、該当金種の硬貨を収納する収納繰出部３２の振分部材４７により搬送部２５から収納繰出部３２に振り分けられ、当該収納繰出部３２に収納される。
【００７７】
識別部３３での再識別の結果、正常硬貨と識別されなかった硬貨は、オーバーフロー硬貨分岐部１２１により搬送部２５から分岐され、オーバーフロースタッカ９０に送り込まれて当該オーバーフロースタッカ９０に収納される。
【００７８】
図８（ｃ）（ｄ）には、硬貨の出金処理における取り忘れ硬貨の回収動作が示されている。
【００７９】
図８（ｃ）に示すように、出金分の硬貨を入出金口２１の受皿２３に出金してから所定時間経過しても硬貨が取り出されないことが図示しないセンサにより検知されると、制御部２０１は操作者が硬貨を取り忘れているものと判断し、受皿２３を反転させて硬貨を入金繰出部３１に放出する。入金繰出部３１に受け入れられた硬貨は１枚ずつ搬送部２５の第１の搬送部分２６に繰り出され、この搬送部２５の第１の搬送部分２６に繰り出された硬貨は１枚ずつベルト４３により出金搬送方向Ｆ２に搬送される。搬送部２５により搬送される硬貨は識別部３３により識別され、一時保留部３８の振分部材４７で搬送部２５の第２の搬送部分２７から一時保留部３８に振り分けられて当該一時保留部３８に収納される。
【００８０】
続いて、図８（ｄ）に示すように、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。そして、搬送部２５により搬送される硬貨は取り忘れ分岐部１２２で搬送部２５から分岐され、取り忘れボックス１２７に送られて当該取り忘れボックス１２７に収納される。
【００８１】
次に、本実施の形態の硬貨処理装置１０による硬貨の補充処理について図９を用いて説明する。
【００８２】
図９（ａ）には、オーバーフロースタッカ９０からの硬貨の補充処理が示されている。オーバーフロースタッカ９０からの硬貨の補充処理は、硬貨処理装置１０の運用中に、ある金種の収納繰出部３２の硬貨量が減少し、該当金種の硬貨がオーバーフロースタッカ９０に収納されている場合に行われる。
【００８３】
図９（ａ）に示すように、オーバーフロースタッカ９０のベルト９７が回転することにより、オーバーフロースタッカ９０内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【００８４】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別される。
【００８５】
識別部３３での識別の結果、正常硬貨と識別された硬貨は、該当金種の硬貨を収納する収納繰出部３２の振分部材４７により搬送部２５から収納繰出部３２に振り分けられ、当該収納繰出部３２に収納される。
【００８６】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて収納される。
【００８７】
また、識別部３３での識別の結果、正常硬貨と識別されなかった硬貨は、オーバーフロー硬貨分岐部１２１で搬送部２５から分岐され、オーバーフロースタッカ９０に送り込まれて当該オーバーフロースタッカ９０に収納される。
【００８８】
図９（ｂ）には、硬貨カセット９２からの硬貨の補充処理が示されている。硬貨カセット９２からの硬貨の補充処理は、硬貨処理装置１０に硬貨が収納されていない初期補充、およびオーバーフロースタッカ９０を含めて収納繰出部３２の硬貨量が減少した場合の途中補充がある。
【００８９】
図９（ｂ）に示すように、硬貨カセット９２のベルト１００が回転することにより、硬貨カセット９２内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【００９０】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別される。
【００９１】
識別部３３での識別の結果、正常硬貨と識別された硬貨は、該当金種の硬貨を収納する収納繰出部３２の振分部材４７により搬送部２５から収納繰出部３２に振り分けられ、当該収納繰出部３２に収納される。
【００９２】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて収納される。
【００９３】
また、識別部３３での識別の結果、正常硬貨と識別されなかった硬貨は、リジェクト硬貨分岐部１２３で搬送部２５から分岐され、補充リジェクトボックス１０５に送り込まれて当該補充リジェクトボックス１０５に収納される。
【００９４】
図９（ｃ）（ｄ）は、入出金口２１からの硬貨の補充処理が示されている。図９（ｃ）に示すように、筐体１２の上面の入出金口２１から受皿２３に投入された補充用の硬貨は、この受皿２３の反転によって入金繰出部３１に放出される。受皿２３は反転後に硬貨を受収する姿勢に復帰する。
【００９５】
入金繰出部３１内に受け入れられた硬貨は１枚ずつ当該入金繰出部３１から搬送部２５の第１の搬送部分２６に繰り出され、この搬送部２５の第１の搬送部分２６に繰り出された硬貨は１枚ずつベルト４３により出金搬送方向Ｆ２に搬送される。搬送部２５により搬送される硬貨は識別部３３により識別される。
【００９６】
識別部３３での識別の結果、正常硬貨と識別された硬貨は、一時保留部３８の振分部材４７で搬送部２５の第２の搬送部分２７から一時保留部３８に振り分けられ、当該一時保留部３８に収納される。
【００９７】
また、識別部３３での識別の結果、正常硬貨と識別されなかった硬貨は、一時保留部３８の位置を通過して搬送部２５の第２の搬送部分２７から受皿２３に放出され、操作者に返却される。
【００９８】
また、図９（ｄ）に示すように、筐体１２の入出金口２１から受皿２３に投入された全ての硬貨の計数一時保留動作が終了した後、操作表示部２０４の操作で硬貨収納指令が出されると、一時保留部３８内の硬貨は１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。この際に、搬送部２５により搬送される硬貨は識別部３３により識別される。
【００９９】
識別部３３での識別の結果、正常硬貨と識別された硬貨は、該当金種の硬貨を収納する収納繰出部３２の振分部材４７で搬送部２５から収納繰出部３２に振り分けられ、当該収納繰出部３２に収納される。
【０１００】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて収納される。
【０１０１】
また、識別部３３での識別の結果、正常硬貨と識別されなかった硬貨は、オーバーフロー硬貨分岐部１２１で搬送部２５から分岐され、オーバーフロースタッカ９０に送り込まれて当該オーバーフロースタッカ９０に収納される。
【０１０２】
次に、本実施の形態の硬貨処理装置１０による硬貨の回収処理について図１０を用いて説明する。
【０１０３】
図１０（ａ）（ｂ）には、収納繰出部３２からの硬貨の回収動作が示されている。図１０（ａ）に示すように、操作表示部２０４の操作で硬貨の回収指令が出されると、ある１つの収納繰出部３２内の硬貨が１枚ずつ搬送部２５に繰り出され、この搬送部２５に繰り出された硬貨は１枚ずつベルト４３により出金搬送方向Ｆ２に搬送される。搬送部２５により搬送される硬貨が識別部３３により識別された後、一時保留部３８の振分部材４７で一時保留部３８に振り分けられて当該一時保留部３８に収納される。
【０１０４】
続いて、図１０（ｂ）に示すように、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３により識別される。
【０１０５】
識別部３３での識別の結果、正常硬貨と識別された硬貨は回収硬貨分岐部１２４により搬送部２５から分岐され、硬貨カセット９２に送り込まれて当該硬貨カセット９２に収納される。一方、識別部３３での識別の結果、正常硬貨と識別されなかった硬貨はオーバーフロー硬貨分岐部１２１により搬送部２５から分岐され、オーバーフロースタッカ９０に送り込まれて当該オーバーフロースタッカ９０に収納される。
【０１０６】
そして、このような回収動作を全ての収納繰出部３２について順次行う。
【０１０７】
図１０（ｃ）には、オーバーフロースタッカ９０からの硬貨の回収動作が示されている。
【０１０８】
オーバーフロースタッカ９０のベルト９７が回転することによって、当該オーバーフロースタッカ９０内の硬貨がオーバーフロースタッカ９０から補充搬送部９３の搬送コンベア１１０に放出される。この搬送コンベア１１０の縦搬送部分１０９により硬貨が上方に搬送され、当該縦搬送部分１０９の上部から一時保留部３８に硬貨が放出される。
【０１０９】
その後、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３により識別される。
【０１１０】
識別部３３での識別の結果、正常硬貨と識別された硬貨は回収硬貨分岐部１２４により搬送部２５から分岐され、硬貨カセット９２に送り込まれて当該硬貨カセット９２に収納される。一方、識別部３３での識別の結果、正常硬貨と識別されなかった硬貨はリジェクト硬貨分岐部１２３により搬送部２５から分岐され、運用リジェクトボックス１０４に送り込まれて当該運用リジェクトボックス１０４に収納される。
【０１１１】
次に、本実施の形態の硬貨処理装置１０による硬貨の精査処理について図１１を用いて説明する。
【０１１２】
制御部２０１が硬貨の自動精査指令を受けると、まず、硬貨カセット９２から収納繰出部３２に硬貨が補充される。具体的には、図１１（ａ）に示すように、硬貨カセット９２のベルト１００が回転することにより、硬貨カセット９２内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【０１１３】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別される。
【０１１４】
識別部３３での識別の結果、正常硬貨と識別された硬貨は、該当金種の硬貨を収納する収納繰出部３２の振分部材４７により搬送部２５から収納繰出部３２に振り分けられ、当該収納繰出部３２に収納される。
【０１１５】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて収納される。
【０１１６】
また、識別部３３での識別の結果、正常硬貨と識別されなかった硬貨は、リジェクト硬貨分岐部１２３で搬送部２５から分岐され、補充リジェクトボックス１０５に送り込まれて当該補充リジェクトボックス１０５に収納される。
【０１１７】
硬貨カセット９２から収納繰出部３２に硬貨が補充されると、図１１（ｂ）に示すように、いずれか１つの収納繰出部３２から硬貨が１枚ずつ搬送部２５に繰り出され、この搬送部２５に繰り出された硬貨は１枚ずつベルト４３により出金搬送方向Ｆ２に搬送される。搬送部２５により搬送される硬貨は識別部３３により識別された後、一時保留部３８の振分部材４７により一時保留部３８に振り分けられて当該一時保留部３８に収納される。
【０１１８】
続いて、図１１（ｃ）に示すように、精査する収納繰出部３２内の全ての硬貨が識別されて一時保留部３８に移動させられた後、一時保留部３８内の硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３により識別される。
【０１１９】
識別部３３での識別の結果、正常硬貨と識別された硬貨は、該当金種の硬貨を収納する収納繰出部３２の振分部材４７により搬送部２５から収納繰出部３２に振り分けられ、当該収納繰出部３２に収納される。一方、識別部３３での識別の結果、正常硬貨と識別されなかった硬貨は、オーバーフロー硬貨分岐部１２１で搬送部２５から分岐され、オーバーフロースタッカ９０に送り込まれて当該オーバーフロースタッカ９０に収納される。
【０１２０】
そして、このような収納繰出部３２から一時保留部３８への硬貨の識別および移動後に、一時保留部３８から元の収納繰出部３２への硬貨の識別および移動を行うという一連の動作を、全ての収納繰出部３２について順番に実施し、筐体１２内の全ての収納繰出部３２に収納された硬貨を精査する。
【０１２１】
次に、オーバーフロースタッカ９０内の硬貨の精査動作を行う。図１１（ｄ）（ｅ）には、オーバーフロースタッカ９０内の硬貨の精査動作が示されている。
【０１２２】
図１１（ｄ）に示すように、オーバーフロースタッカ９０のベルト９７が回転することにより、オーバーフロースタッカ９０内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【０１２３】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別された後、回収硬貨分岐部１２４により搬送部２５から分岐させられ、硬貨カセット９２に送り込まれて当該硬貨カセット９２に収納される。
【０１２４】
オーバーフロースタッカ９０から繰り出された硬貨の移動動作後、図１１（ｅ）に示すように、硬貨カセット９２のベルト１００が回転することにより、硬貨カセット９２内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【０１２５】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別される。
【０１２６】
識別部３３での識別の結果、正常硬貨と識別された硬貨は、オーバーフロー硬貨分岐部１２１により搬送部２５から分岐させられ、オーバーフロースタッカ９０に送り込まれて当該オーバーフロースタッカ９０に収納される。一方、識別部３３での識別の結果、正常硬貨と識別されなかった硬貨は、リジェクト硬貨分岐部１２３で搬送部２５から分岐され、運用リジェクトボックス１０４に送り込まれて当該運用リジェクトボックス１０４に収納される。
【０１２７】
その後、オーバーフロースタッカ９０に収納された硬貨について、戻し補充動作が行われる。具体的には、図１１（ｆ）に示すように、オーバーフロースタッカ９０のベルト９７が回転することにより、オーバーフロースタッカ９０内の硬貨が補充搬送部９３の搬送コンベア１１０に放出される。この搬送コンベア１１０の縦搬送部分１０９により硬貨が上方に搬送され、縦搬送部分１０９の上部から一時保留部３８に硬貨が放出される。
【０１２８】
次に、一時保留部３８から硬貨が１枚ずつ搬送部２５の第２の搬送部分２７に繰り出され、この搬送部２５の第２の搬送部分２７に繰り出された硬貨は１枚ずつベルト４３により入金搬送方向Ｆ１に搬送される。搬送部２５により搬送される硬貨は識別部３３で識別される。
【０１２９】
識別部３３での識別の結果、正常硬貨と識別された硬貨は、該当金種の硬貨を収納する収納繰出部３２の振分部材４７により搬送部２５から収納繰出部３２に振り分けられ、当該収納繰出部３２に収納される。
【０１３０】
収納繰出部３２の硬貨収納枚数が所定の満杯枚数に達した場合には、それ以降の該当金種の硬貨はオーバーフロー硬貨とみなされ、当該オーバーフロー硬貨はオーバーフロー硬貨分岐部１２１で搬送部２５から分岐され、オーバーフロースタッカ９０に送り込まれて収納される。
【０１３１】
また、識別部３３での識別の結果、正常硬貨と識別されなかった硬貨は、オーバーフロー硬貨分岐部１２１で搬送部２５から分岐され、オーバーフロースタッカ９０に送り込まれて当該オーバーフロースタッカ９０に収納される。
【０１３２】
従来技術の硬貨処理装置では、上述した自動精査処理において硬貨の詰まり等のトラブルが発生した場合には、制御部２０１は硬貨処理装置の動作をエラー終了させていた。しかしながら、硬貨処理装置を自動復旧して自動精査処理を再実行することが可能な場合でもエラー終了としているため従来技術では硬貨処理装置の休止率が高くなってしまい処理効率が悪化するという問題があった。
【０１３３】
これに対し、本実施の形態による硬貨処理装置１０では、図１１（ｂ）（ｃ）に示すような収納繰出部３２内の硬貨の精査処理において、収納繰出部３２から一時保留部３８への硬貨の識別および移動、ならびに一時保留部３８から元の収納繰出部３２への硬貨の識別および移動において硬貨の詰まり等のトラブルが発生した場合には、以下に示すようなリトライ動作を行うようになっている。具体的には、ベルト４３を出金搬送方向Ｆ２に移動させることにより搬送部２５により搬送されている最中の硬貨を全て受皿２３に放出し、次に受皿２３を反転させることによって当該受皿２３に受収された硬貨を入金繰出部３１に受収させる。受皿２３は、反転後に硬貨を受収する姿勢に復帰する。また、一時保留部３８に収納されている硬貨について当該一時保留部３８から搬送部２５の第２の搬送部分２７に１枚ずつ繰り出し、搬送部２５の第２の搬送部分２７に繰り出された硬貨を１枚ずつベルト４３により入金搬送方向Ｆ１に搬送し、入金繰出部３１の振分部材４７によって入金繰出部３１に振り分けることにより当該入金繰出部３１に収納させる。その後、入金繰出部３１から搬送部２５の第１の搬送部分２６に硬貨を１枚ずつ繰り出し、搬送部２５の第１の搬送部分２６に繰り出された硬貨を１枚ずつベルト４３により出金搬送方向Ｆ２に搬送し、一時保留部３８の振分部材４７により一時保留部３８に振り分けることにより当該一時保留部３８に収納させる。このようにして、硬貨の自動精査処理が行われている際に硬貨の詰まり等のトラブルが発生した場合でも、上述したリトライ動作を行うことによって硬貨処理装置１０の復旧処理を行うことができるようになる。
【０１３４】
また、上述したような本実施の形態による硬貨処理装置１０では、搬送部２５においてベルト４３により変形硬貨が搬送される際に、この変形硬貨が搬送部２５の通路面４１に引っ掛かってしまうことによりベルト４３のピン４５から外れてしまい、後続のピン４５により搬送される硬貨に接近または接触してしまう場合がある。このような場合には、前述のように、搬送部２５により搬送される硬貨の間隔が所定の間隔よりも小さくなったときに異常接近検知手段２０５により硬貨が異常接近状態であることが検知される。より詳細には、ベルト４３から突設するピン４５間に複数の硬貨が存在することが通過センサ２９ａ、２９ｂにより検知されたときに、異常接近検知手段２０５は硬貨が異常接近状態であることを検知する。そして、本実施の形態では、制御部２０１は、異常接近検知手段２０５により硬貨が異常接近状態であることが検知されたときでも、所定条件が満たされる場合には硬貨の搬送を続行させるよう搬送部２５の制御を行うようになっている。
【０１３５】
従来技術の硬貨処理装置では、搬送部２５において搬送される硬貨の間隔が所定の大きさ以下に接近するような異常接近状態が検出されたときには、搬送部２５により搬送されている硬貨のうち異常接近状態であると判断された複数の硬貨を出金搬送方向Ｆ２に搬送することにより受皿２３に放出することによって搬送部２５から排除していた。しかしながら、このような運用では、硬貨を搬送部２５から分岐させる分岐部の構成等によっては硬貨が異常接近状態であっても問題ない場合でも、当該硬貨を排除してしまうこととなり、硬貨の処理効率が悪化してしまうという問題があった。これに対し、本実施の形態による硬貨処理装置１０では、硬貨が異常接近状態であることが検知されたときでも、所定条件が満たされる場合には搬送部２５による硬貨の搬送を続行させることにより、異常接近状態であると判断された複数の硬貨を常に搬送部２５から排除するような従来技術の場合と比較して硬貨の処理効率を向上させることができる。
【０１３６】
より詳細に説明すると、制御部２０１は、異常接近検知手段２０５により異常接近状態であることが検知された複数の硬貨を搬送部２５から分岐させる分岐部が、開口を介して硬貨を落下させる落下式のものであるときに、上記の所定条件が満たされたと判断するようになっている。ここで、開口を介して硬貨を落下させる落下式の分岐部としては、振分ゲートを有するようなオーバーフロー硬貨分岐部１２１、硬貨分岐部１２２、リジェクト硬貨分岐部１２３および回収硬貨分岐部１２４が挙げられる。このような分岐部１２１、１２２、１２３、１２４では、振分ゲートにより開口を介して硬貨を落下させるため、ベルト４３のピン４５により押動される硬貨が異常接近状態である場合でも、この異常接近状態にある複数の硬貨を一度に当該開口によって搬送部２５から分岐させることができるため問題ない。一方、振分部材４７により搬送部２５から硬貨を収納繰出部３２や一時保留部３８に振り分ける際には、搬送部２５から収納繰出部３２や一時保留部３８の硬貨出入口に送られた硬貨は受渡し円盤６２の突起８０により１枚ずつ押動されながら案内通路６９に沿って収納繰出部３２や一時保留部３８に収納されるため、ベルト４３のピン４５により押動される硬貨が異常接近状態である場合には、異常接近状態にある複数の硬貨を一度に搬送部２５から分岐させることはできない。なぜならば、ベルト４３のピン４５により押動される硬貨が異常接近状態である場合に、振分部材４７により搬送部２５から異常接近状態にある複数の硬貨を一度に収納繰出部３２や一時保留部３８に振り分けようとすると、ベルト４３のピン４５と受渡し円盤６２の突起８０との間に複数（具体的には、例えば２枚）の硬貨が入ってしまうこととなるが、この場合には硬貨の詰まりが発生してしまうからである。このように、搬送部２５により搬送される硬貨がオーバーフロー硬貨分岐部１２１、硬貨分岐部１２２、リジェクト硬貨分岐部１２３および回収硬貨分岐部１２４により当該搬送部２５から分岐されるときには、ベルト４３のピン４５により押動される硬貨が異常接近状態である場合でもこれらの硬貨を搬送部２５から分岐させることができるが、搬送部２５により搬送される硬貨が振分部材４７により収納繰出部３２や一時保留部３８に振り分けられるときには、ベルト４３のピン４５により押動される硬貨が異常接近状態である場合にこれらの硬貨を搬送部２５から分岐させることができない。
【０１３７】
また、制御部２０１は、異常接近検知手段２０５により異常接近状態であることが検知された複数の硬貨の搬送先が同一であるときのみ所定条件が満たされたと判断するようになっている。異常接近検知手段２０５により異常接近状態であることが検知された複数の硬貨を分岐させる分岐部が、分岐部１２１、１２２、１２３、１２４の振分ゲートのような開口を介して硬貨を落下させる落下式のものであるときでも、異常接近状態である複数の硬貨が互いに異なる分岐部により搬送部２５から分岐される場合には、ある一つの硬貨が搬送部２５から分岐された後に振分ゲートが搬送部２５の通路面４１の下方に退避する前に後続の硬貨が振分ゲートと通路面４１との間に挟まれてしまい硬貨の詰まりが発生するおそれがある。また、本実施の形態では、制御部２０１は、異常接近検知手段２０５により異常接近状態であることが検知された複数の硬貨の搬送先がオーバーフロー硬貨収納部（オーバーフロースタッカ９０、取り忘れボックス１２７および予備ボックス１２８）または硬貨回収部（硬貨カセット９２、運用リジェクトボックス１０４および補充リジェクトボックス１０５）であるときにのみ所定条件が満たされたと判断するようになっている。
【０１３８】
また、本実施の形態では、前述したように、搬送部２５においてベルト４３のピン４５に押動されていた硬貨が当該ピン４５から外れたときには、通過センサ２９ａ、２９ｂによる硬貨の検知結果に基づいて、ピン外れ検知手段２０６によりこのことが検知されるようになっている。そして、制御部２０１は、ピン外れ検知手段２０６により硬貨がベルト４３のピン４５から外れたことが検知されたときでも、当該ピン４５に引き続く後続のピン４５により硬貨が押動されていない場合には硬貨の搬送を続行させるよう搬送部２５の制御を行うようになっている。搬送部２５においてベルト４３により硬貨が搬送される際に、この硬貨が搬送部２５の通路面４１に引っ掛かってしまうことによりベルト４３のピン４５から外れてしまった場合でも、後続のピン４５により硬貨が押動されていない場合には、ピン４５から外れてしまった硬貨は後続のピン４５により引き続き押動されるようになる。従来技術の硬貨処理装置では、搬送部２５においてベルト４３により硬貨が搬送される際に当該ベルト４３のピン４５から硬貨が外れてしまった場合には、硬貨処理装置の動作を停止させてピン４５から外れてしまった硬貨を筐体１２の外部に手動で取り出す必要があったが、本実施の形態では、ピン外れ検知手段２０６により硬貨がベルト４３のピン４５から外れたことが検知されたときでも、当該ピン４５に引き続く後続のピン４５により硬貨が押動されていない場合には搬送部２５において硬貨の搬送を続行させることにより、硬貨の処理効率を向上させることができる。また、この際に、制御部２０１は元のピン４５に関連付けられていた硬貨の情報（例えば、当該硬貨の金種等に係る情報）を、後続のピン４５に関連付けるようデータの移行を行うようになっている。
【０１３９】
また、前述のように、制御部２０１は、異常接近検知手段２０５により硬貨が異常接近状態であることが検知されたときに、上記の所定条件が満たされない場合には搬送部２５により搬送されている最中の全ての硬貨を出金搬送方向Ｆ２に搬送することにより受皿２３に放出することによって搬送部２５から排除するようになっている。本実施の形態では、このような硬貨の排除動作を行う際のベルト４３の速度を、通常の硬貨の入出金処理時等のベルト４３の速度よりも小さくしている。搬送部２５により搬送されている最中の全ての硬貨を受皿２３に放出することによって当該搬送部２５から排除する際に、２枚以上の硬貨が連鎖状態でピン４５により押動される場合には、各分岐部１２１、１２２、１２３、１２４の振分ゲートや振分部材４７と搬送部２５の通路面４１との間のつなぎ目部分に形成されたテーパ構造により硬貨が詰まってしまうおそれがある。このため、搬送部２５から硬貨を排除する際に、ベルト４３の速度を小さくすることにより、２枚以上の硬貨が連鎖状態でピン４５により押動される場合でも搬送部２５の通路面４１上での硬貨の詰まりの発生を抑制するようになっている。
【０１４０】
また、従来技術の硬貨処理装置では、入金繰出部３１、収納繰出部３２および一時保留部３８から硬貨を搬送部２５に繰り出す際に、これらの入金繰出部３１等から繰り出された硬貨を検知するための通過センサ２９ａ、２９ｂにより一定時間硬貨が検知されないことにより硬貨の繰り出し不良が発生していると判断された場合には、回転円盤６０の正転および反転を複数回繰り返すようなリトライ動作が行われるようになっており、このようなリトライ動作を行うことにより、入金繰出部３１等からの硬貨の繰り出し不良を解消するようになっている。しかしながら、従来技術の硬貨処理装置では、硬貨出入口において２枚の硬貨が重なった状態で噛み込んでしまう等の硬貨の詰まりが発生した場合には、回転円盤６０の正転および反転を複数回繰り返すようなリトライ動作を行った場合には、硬貨出入口で詰まった硬貨が後続の硬貨により何度も押されるようになり噛み込みがきつくなるだけで硬貨の繰り出し不良を解消することができないという問題があった。
【０１４１】
これに対して、本実施の形態の硬貨処理装置１０では、入金繰出部３１、収納繰出部３２および一時保留部３８からの硬貨の繰り出し不良が発生していると判断された場合には、受渡し円盤６２を反繰出回転方向（図４Ａにおける反時計回りの方向）に回転させるようになっている。このことにより、硬貨出入口において詰まった硬貨の噛み込み状態を解消して当該硬貨を入金繰出部３１等に戻すことにより硬貨の詰まりを解消することができる。より詳細には、一回の取引で位相ズレ補正、回転円盤６０のモータロックおよびベルト４３の駆動異常が合計５回発生すれば、入金繰出部３１等からの硬貨の繰り出し不良が発生していると判断される。ここで、「位相ズレ補正」とは、搬送部２５のベルト４３や受渡し円盤６２の位相に対して回転円盤６０の位相がずれているときに、制御部２０１が搬送部２５のベルト４３や受渡し円盤６２の位相に対して回転円盤６０の位相を合わせるような動作のことをいう。また、「回転円盤６０のモータロック」とは、回転円盤６０を繰出回転方向に回転させる際に硬貨出入口における硬貨の詰まりにより当該回転円盤６０のモータがロックしてしまうことをいう。また、「ベルト４３の駆動異常」とは、搬送部２５のベルト４３が正常に駆動されず当該ベルト４３を駆動するモータがロックされてしまうことをいう。また、入金繰出部３１等に設けられた残留検知センサにより入金繰出部３１等に残留物が残っていることが検知されたときに回転円盤６０を例えば３秒間回転させても残留物の繰り出しが検知できなかった場合、回転円盤６０を一旦停止させた後に逆回転させるような繰出不良リトライが行われるが、このような繰出不良リトライが３回繰り返して行われると、入金繰出部３１等からの硬貨の繰り出し不良が発生していると判断され、受渡し円盤６２が反繰出回転方向（図４Ａにおける反時計回りの方向）に回転するようになる。
【０１４２】
本実施の形態では、入金繰出部３１等からの硬貨の繰り出し不良が発生していると判断されたときに、案内部４８が搬送部２５の通路面４１外に退避するとともに閉塞部５０が収納繰出部３２等の硬貨出入口を閉塞するよう振分部材４７が駆動される。また、受渡し円盤６２は一旦停止する。次に、図４Ｄに示すように、入金繰出部３１等の硬貨出入口が規制ゲート５５により開かれて案内通路６９と規制ゲート５５との間には大きな隙間が形成される。そして、回転円盤６０の繰出回転方向における上流側端部および下流側端部がテーパ形状となっている拾上部材６７ａが入金繰出部３１等の硬貨出入口の近傍に位置するよう回転円盤６０が停止する。その後、閉塞部５０が収納繰出部３２等の硬貨出入口を開くよう振分部材４７が駆動され、このような状態で受渡し円盤６２を所定時間だけ反繰出回転方向（図４Ａにおける反時計回りの方向）に回転させる。このことにより、硬貨出入口において詰まった状態にある硬貨は当該受渡し円盤６２の突起８０により入金繰出部３１等に落とされるようになる。また、この際に、回転円盤６０の繰出回転方向における上流側端部および下流側端部がテーパ形状となっている拾上部材６７ａが入金繰出部３１等の硬貨出入口の近傍に位置しているため、受渡し円盤６２の突起８０と回転円盤６０の拾上部材６７ａとの間で硬貨が詰まってしまうことはない。その後、閉塞部５０が収納繰出部３２等の硬貨出入口を閉塞するよう振分部材４７が駆動される。そして、受渡し円盤６２を繰出回転方向に回転させるとともに図４Ｃに示すように入金繰出部３１等の硬貨出入口を規制ゲート５５により閉じ、また閉塞部５０が収納繰出部３２等の硬貨出入口を開くよう振分部材４７を駆動する。このようにして、入金繰出部３１等からの硬貨の繰り出し動作が再開される。
【０１４３】
このように、本実施の形態では、入金繰出部３１、収納繰出部３２および一時保留部３８からの硬貨の繰り出し不良が発生していると判断された場合に、受渡し円盤６２を反繰出回転方向に回転させることにより、入金繰出部３１等の硬貨出入口における複数の硬貨の噛み込み等の詰まり状態を解消することができ、硬貨処理装置１０の休止率の低減を図ることができる。
【０１４４】
また、従来技術の硬貨処理装置では、硬貨の入金処理において正常な硬貨ではない樹脂貨が誤って入出金口２１の受皿２３に投入されてしまい当該樹脂貨が搬送部２５に繰り出されたときに、硬貨の搬送先が受皿２３である場合には、当該樹脂貨は識別部３３により識別されるが当該識別部３３よりも下流側に配置された通過センサ２９ａ、２９ｂにより検知されないことにより、通過センサ２９ａ、２９ｂの検知タイムオーバー等のトラブルにより硬貨処理装置が休止してしまうという問題があった。これに対し、本実施の形態の硬貨処理装置１０では、識別部３３により識別された硬貨が樹脂貨であった場合には、当該樹脂貨が識別部３３よりも下流側に配置された通過センサ２９ａ、２９ｂにより検知されなかったときでも検知タイムオーバーとしないで識別部３３よりも下流側にある振分部材４７の駆動を行うようになっている。
【０１４５】
より詳細に説明すると、識別部３３には光センサからなるタイミングセンサ（図示せず）が設けられており、このタイミングセンサにより硬貨が検知されたときには識別部３３に設けられたイメージセンサ（図示せず）により硬貨の撮像が行われるとともに識別部３３に設けられた磁気センサ（図示せず）により当該硬貨が金属であるか否かが検知される。ここで、搬送部２５により識別部３３に送られた硬貨が樹脂貨であった場合には、タイミングセンサにより樹脂貨は検知されるが磁気センサにより金属製でないことが検知され、このことにより樹脂貨であると判別される。このときには、制御部２０１は、樹脂貨を搬送するベルト４３のピン４５を監視するようになる。また、識別部３３により識別された樹脂貨は搬送部２５により受皿２３に送られるが、この際に、樹脂貨よりも１つ前に搬送される硬貨がリジェクト硬貨であった場合には、当該リジェクト硬貨は受皿２３に搬送されるため、案内部４８が搬送部２５の通路面４１外に退避するとともに閉塞部５０が収納繰出部３２等の硬貨出入口を閉塞するよう振分部材４７が駆動される。その後、樹脂貨を搬送するピン４５が識別部３３の下流側にある通過センサ２９ａ（すなわち、一時保留部３８の振分部材４７よりも上流側にある通過センサ２９ａ）により検知された場合でも、振分部材４７は一時保留部３８の硬貨出入口を塞ぐ位置に維持される。このことにより、樹脂貨も受皿２３に送られるようになる。なお、上記の説明では、通過センサ２９ａ、２９ｂがベルト４３のピン４５の直接検知するような態様について説明したが、このような態様に限定されることはなく、ベルト４３の回転をパルス数に変換し、このパルス数をカウントすることでピン４５の位置を監視するようにしてもよい。
【０１４６】
一方、樹脂貨よりも１つ前に搬送される硬貨が正常硬貨であった場合には、当該正常硬貨は一時保留部３８に搬送されるため、案内部４８が搬送部２５の通路面４１内に突出するとともに閉塞部５０が収納繰出部３２や一時保留部３８の硬貨出入口を開放するよう振分部材４７が駆動される。その後、樹脂貨を搬送するピン４５が、識別部３３の下流側にある通過センサ２９ａに到達すると、振分部材４７は一時保留部３８の硬貨出入口を塞ぐよう駆動され、案内部４８が搬送部２５の通路面４１外に退避するとともに閉塞部５０が収納繰出部３２等の硬貨出入口を閉塞するようになる。このことにより、樹脂貨は振分部材４７により一時保留部３８に振り分けられずに受皿２３に送られるようになる。
【０１４７】
このように、本実施の形態では、識別部３３により識別された硬貨が樹脂貨であった場合には、当該樹脂貨が識別部３３よりも下流側に配置された通過センサ２９ａ、２９ｂにより検知されなかったときでも検知タイムオーバーとせず、この樹脂貨を押動するベルト４３のピン４５を監視することにより識別部３３よりも下流側にある振分部材４７の駆動を行うようになっている。このため、搬送部２５に樹脂貨が繰り出されてしまった場合でも硬貨処理装置１０が休止しないようになるため、硬貨処理装置１０の休止率の低減を図ることができる。
【０１４８】
また、従来技術の硬貨処理装置では、「くの字状」に折れ曲がった変形硬貨が入金繰出部３１、収納繰出部３２および一時保留部３８に収納された場合には、これらの入金繰出部３１等から変形硬貨が繰り出されないことにより硬貨の繰り出し不良が発生してしまって硬貨処理装置が休止してしまうという問題があった。具体的には、回転円盤６０に対する変形硬貨の向きが当該回転円盤６０から繰り出し難い向きの場合、従来技術の硬貨処理装置では変形硬貨の向きが変わりにくいため、硬貨の繰り出し不良が解消されにくいという問題があった。
【０１４９】
これに対して、本実施の形態による硬貨処理装置１０では、くの字状に折れ曲がった変形硬貨が入金繰出部３１、収納繰出部３２および一時保留部３８に収納された場合には、回転円盤６０の回転速度を大きくすることにより変形硬貨の回転モーメントを増加させ、回転円盤６０から繰り出し易い向きに変形硬貨を反転させることで当該回転円盤６０から変形硬貨を繰り出すようにしている。より詳細には、くの字状に折れ曲がった変形硬貨（図１２において参照符号Ｃ１で表示）が入金繰出部３１に収納された場合に、回転円盤６０に対する変形硬貨の向きとして図１２（ａ）に示すような状態と図１２（ａ）に示すような状態とがある。ここで、図１２（ａ）に示すような向きの変形硬貨は回転円盤６０から繰り出し易いが図１２（ｂ）に示すような向きの変形硬貨は回転円盤６０から繰り出し難くなっている。なぜならば、図４Ｃに示すように規制ゲート５５が収納繰出部３２の硬貨出入口を閉じているときには、案内通路６９と規制ゲート５５との間には、硬貨１枚分の厚さよりもわずかに大きい間隙が形成されるようになるため、図１２（ｂ）に示すような向きの変形硬貨は案内通路６９と規制ゲート５５との間の隙間を通ることが難しいからである。このため、入金繰出部３１等に設けられた残留検知センサ（図示せず）により当該入金繰出部３１等において残留硬貨が発生していることが検知された場合には、回転円盤６０を高速で回転させることにより図１２（ｂ）に示すような向きの変形硬貨を反転させて図１２（ａ）に示すような向きとする。また、図４Ｄに示すように規制ゲート５５が収納繰出部３２の硬貨出入口を開くようにする。このことにより、回転円盤６０から案内通路６９に送られた変形硬貨について、規制ゲート５５に衝突して案内通路６９から落下してしまうことを防止することができるようになる。
【０１５０】
このように、本実施の形態による硬貨処理装置１０では、くの字状に折れ曲がった変形硬貨が入金繰出部３１、収納繰出部３２および一時保留部３８に収納された場合でも、回転円盤６０の回転速度を大きくすることにより変形硬貨の向きを図１２（ａ）に示すような回転円盤６０から繰り出し易い向きに変えることで当該回転円盤６０から変形硬貨を繰り出すようになっているため、硬貨処理装置１０の休止率の低減を図ることができる。
【０１５１】
以上のように、本実施の形態の硬貨処理装置１０および硬貨処理方法によれば、硬貨が異常接近状態であることが検知されたときでも、所定条件が満たされる場合には搬送部２５による硬貨の搬送を続行させることにより、異常接近状態であると判断された複数の硬貨を常に搬送部２５から排除するような従来技術の場合と比較して硬貨の処理効率を向上させることができる。
【０１５２】
また、本実施の形態の硬貨処理装置１０においては、前述したように、異常接近状態であることが検知された複数の硬貨を分岐させる分岐部が開口を介して硬貨を落下させる落下式のもの（具体的には、オーバーフロー硬貨分岐部１２１、硬貨分岐部１２２、リジェクト硬貨分岐部１２３、回収硬貨分岐部１２４の振分ゲート）であるときに上記の所定条件が満たされたと判断されるようになっている。また、異常接近状態であることが検知された複数の硬貨の搬送先が同一であるときにのみ上記の所定条件が満たされたと判断されるようになっている。
【０１５３】
また、本実施の形態の硬貨処理装置１０においては、前述したように、異常接近状態であることが検知された複数の硬貨の搬送先がオーバーフロー硬貨収納部（オーバーフロースタッカ９０、取り忘れボックス１２７および予備ボックス１２８）または硬貨回収部（硬貨カセット９２、運用リジェクトボックス１０４および補充リジェクトボックス１０５）であるときにのみ上記の所定条件が満たされたと判断されるようになっている。
【０１５４】
また、本実施の形態の硬貨処理装置１０においては、前述したように、搬送部２５には、硬貨を押動するピン４５が複数設けられており、ピン４５間に複数の硬貨が存在するときに硬貨が異常接近状態であることが検知されるようになっている。
【０１５５】
また、本実施の形態の硬貨処理装置１０においては、前述したように、硬貨が異常接近状態であることが検知されたときに、上記の所定条件が満たされない場合には搬送部２５により搬送されている最中の全ての硬貨を当該搬送部２５により受皿２３に搬送し、この際に搬送部２５による硬貨の搬送速度を通常の硬貨処理時の硬貨の搬送速度よりも小さくしている。このように、搬送部２５から硬貨を排除する際に、ベルト４３の速度を小さくすることにより、２枚以上の硬貨が連鎖状態でピン４５により押動される場合でも搬送部２５の通路面４１上での硬貨の詰まりの発生を抑制するようになっている。
【０１５６】
また、本実施の形態の硬貨処理装置１０および硬貨処理方法によれば、硬貨が搬送部２５のピン４５から外れたことが検知されたときでも、当該ピン４５に引き続く後続のピン４５により硬貨が押動されていない場合には硬貨の搬送を続行させることにより、硬貨処理装置の動作を停止させてピン４５から外れてしまった硬貨を筐体１２の外部に手動で取り出すことにより当該硬貨を搬送部２５から排除するような従来技術の場合と比較して硬貨の処理効率を向上させることができる。
【０１５７】
なお、本実施の形態による硬貨処理装置１０や硬貨処理方法は、上述したような態様に限定されることはなく、様々な変更を加えることができる。
【０１５８】
例えば、入金繰出部３１、収納繰出部３２、一時保留部３８、受皿２３等の間で硬貨を搬送する搬送部２５は、ピン４５が設けられたベルト４３を有するものに限定されることはない。他の構成の搬送部２５として、ピンが設けられていない丸ベルトにより硬貨を一層一列状態で搬送するようなものが用いられてもよい。このような構成からなる搬送部２５が用いられる場合でも、搬送される硬貨の間隔が所定の間隔よりも小さくなるような硬貨の異常接近状態が検知されたときに、所定条件が満たされる場合には搬送部２５による硬貨の搬送を続行させるようになっており、このことにより、異常接近状態であると判断された複数の硬貨を常に搬送部２５から排除するような従来技術の場合と比較して硬貨の処理効率を向上させることができる。
【符号の説明】
【０１５９】
１０  硬貨処理装置
１２  筐体
１３  入出金部
１４  補充回収部
２１  入出金口
２２  異物返却口
２３  受皿
２４  ベース
２５  搬送部
２６  第１の搬送部分
２７  第２の搬送部分
２８  第３の搬送部分
２９ａ、２９ｂ  通過センサ
３０  シュート
３１  入金繰出部
３２  収納繰出部
３３  識別部
３８  一時保留部
４１  通路面
４２  ガイド部
４３  ベルト
４４  プーリ
４５  ピン
４７  振分部材
４８  案内部
５０  閉塞部
５５  規制ゲート
５９  回転軸
６０  回転円盤
６１  ホッパ
６２  受渡し円盤
６４  高位部
６５  低位部
６６  段差部
６７、６７ａ  拾上部材
６８  滑落部
６９  案内通路
７０、７１  ガイド部材
７２  溝部
７６  排出口
７７  排出ゲート
７８  軸
８０  突起
８３  異物シュート
９０  オーバーフロースタッカ
９２  硬貨カセット
９３  補充搬送部
９５  収納空間
９６  繰出口
９７  ベルト
９８  収納空間
９９  繰出口
１００  ベルト
１０４  運用リジェクトボックス
１０５  補充リジェクトボックス
１０８  横搬送部分
１０９  縦搬送部分
１１０  搬送コンベア
１２１  オーバーフロー硬貨分岐部
１２２  硬貨分岐部
１２３  リジェクト硬貨分岐部
１２４  回収硬貨分岐部
１２７  取り忘れボックス
１２８  予備ボックス
１２９  硬貨通路
２０１  制御部
２０３  記憶部
２０４  操作表示部
２０５  異常接近検知手段
２０６  ピン外れ検知手段
Ｆ１  入金搬送方向
Ｆ２  出金搬送方向
【図１】
2018073434.tif 000003
【図２】
2018073434.tif 000004
【図３】
2018073434.tif 000005
【図４Ａ】
2018073434.tif 000006
【図４Ｂ】
2018073434.tif 000007
【図４Ｃ】
2018073434.tif 000008
【図４Ｄ】
2018073434.tif 000009
【図５】
2018073434.tif 000010
【図６】
2018073434.tif 000011
【図７】
2018073434.tif 000012
【図８】
2018073434.tif 000013
【図９】
2018073434.tif 000014
【図１０】
2018073434.tif 000015
【図１１】
2018073434.tif 000016
【図１２】
2018073434.tif 000017